(57)【要約】  本発明が公開するブロードバンド無線通信における信号の生成方法は、まず送信待機信号データに対して変調、セクション化及びシリアル・パラレル変換を行い、シリアル・パラレル変換処理後のデータに対してディスクリートフーリエ変換ＤＦＴ処理して周波数領域に変換するステップＡと、周波数領域に変換したデータシンボルブロックに対してブロックユニット変調とブロック重複変調を行い、処理したブロックユニットを指定された時間・周波数の位置にマッピングするステップＢと、時間・周波数の位置にマッピングしたブロックユニットに対して高速フーリエ変換の逆変換ＩＦＦＴ処理を行い、サイクリック・プレフィックス（ＣＰ）を加えて時間領域におけるランダムシーケンスを生成するＣステップを含む。  本発明はさらに信号生成装置、ブロードバンド無線通信における情報伝送方法及びシステムを公開する。本発明を採用すれば、リソースの割り当て、スケジューリング及び干渉の調整コントロール問題をよりよく解決し、システムの容量と性能を大いに高めることができる。【選択図】図１３
2011504694.tif 000002
【特許請求の範囲】
【請求項１】
まず送信待機信号データに対して変調、セクション化及びシリアル・パラレル変換を行い、シリアル・パラレル変換処理後のデータに対してディスクリートフーリエ変換ＤＦＴ処理を行って周波数領域に変換するステップＡと、
周波数領域に変換したデータシンボルブロックに対して、ブロックユニット変調とブロックの重複変調を行い、処理したブロックユニットを指定された時間・周波数の位置にマッピングするステップＢと、
時間・周波数の位置にマッピングしたブロックユニットに対して高速フーリエ変換の逆変換ＩＦＦＴ処理を行い、サイクリック・プレフィックス（ＣＰ）を加えて時間領域におけるランダムシーケンスを生成するステップＣとを、
含むことを特徴とするブロードバンド無線通信における信号生成方法。
【請求項２】
ステップＢに記載された前記周波数領域に変換したデータシンボルブロックに対して、ブロックユニット変調とブロックの重複変調を行うことは、
周波数領域に変換したデータシンボルブロックに対して変調マッピングを行い、ブロックユニットを生成するステップＢ１１と、
生成したブロックユニットを加重重複するステップＢ１２と、
を含み、
前記処理されたブロックユニットは加重重複処理されたブロックユニットであることを特徴とする請求項１に記載のブロードバンド無線通信における信号生成方法。
【請求項３】
ステップＢに記載された前記周波数領域に変換したデータシンボルブロックに対して、ブロックユニット変調とブロックの重複変調を行うことは、
周波数領域に変換したデータシンボルブロックに対して加重重複を行うステップＢ２１と、
加重重複データシンボルブロックをブロックユニットに変調しマッピングするステップＢ２２と、
を含み、
前記処理されたブロックユニットはステップＢ２２が生成したブロックユニットであることを特徴とする請求項１に記載のブロードバンド無線通信における信号生成方法。
【請求項４】
前記加重重複は時間領域においての重複することを特徴とする請求項２または請求項３に記載のブロードバンド無線通信における信号生成方法。
【請求項５】
異なるユーザーはパワーシャフトに沿って多重し、且つ、異なるユーザーが異なるブロック重複加重シーケンスを採用して区別することを特徴とする請求項２または請求項３に記載のブロードバンド無線通信における信号生成方法。
【請求項６】
データ変調モジュール、シリアル・パラレル変換モジュール、ＤＦＴモジュール、ＩＦＦＴモジュール及びサイクリック・プレフィックスモジュールを含み、且つ、前記ＤＦＴモジュールと前記ＩＦＦＴモジュールの間に、ブロック重複変調とブロックユニット変調を完成するのに用いられるブロックユニットとブロック重複変調モジュールをさらに含むことを特徴とするブロードバンド無線通信における信号生成装置。
【請求項７】
前記ブロックユニットとブロック重複変調モジュールはブロックユニット変調モジュールとブロック重複変調モジュールをさらに含み、        
前記ブロックユニット変調モジュールは、自身の入力とＤＦＴモジュールの出力を繋いで、周波数領域に変換したデータシンボルブロックを変調マッピングし、ブロックユニットを生成するのに用いられ、
前記ブロック重複変調モジュールは、自身の入力とブロックユニット変調モジュールの出力を繋ぎ、自身の出力とＩＦＦＴモジュールの入力を繋いで、生成したブロックユニットに対して加重重複を行い、指定された時間・周波数の位置にマッピングするのに用いられることを特徴とする請求項６に記載のブロードバンド無線通信における信号生成装置。
【請求項８】
前記ブロックユニットとブロック重複変調モジュールはブロック重複変調モジュールとブロックユニット変調モジュールをさらに含み、
前記ブロック重複変調モジュールは、自身の入力とＤＦＴモジュールの出力を繋いで、周波数領域に変換したデータシンボルブロックに対して加重重複を行うのに用いられ、
前記ブロックユニット変調モジュールは、自身の入力とブロック重複変調モジュールの出力を繋ぎ、自身の出力とＩＦＦＴモジュールの入力を繋いで、加重重複データシンボルブロックをブロックユニットに変調マッピングし、且つ指定された時間・周波数の位置にマッピングするのに用いられることを特徴とする請求項６に記載のブロードバンド無線通信における信号生成装置。
【請求項９】
前記加重重複は時間領域において重複することを特徴とする請求項７または請求項８に記載のブロードバンド無線通信における信号生成装置。
【請求項１０】
異なるユーザーはパワーシャフトに沿って多重し、且つ、異なるユーザーが異なるブロック重複加重シーケンスを採用して区別することを特徴とする請求項７または請求項８に記載のブロードバンド無線通信における信号生成装置。
【請求項１１】
変調チャネルを通して接続される送信側と受信側を含み、そのうち、送信側はデータ変調モジュール、シリアル・パラレル変換モジュール、ＤＦＴモジュールとＩＦＦＴモジュールとをさらに含み、受信側は高速フーリエ変換ＦＦＴモジュール、ディスクリートフーリエ変換の逆処理変換ＩＤＦＴモジュール、パラレル・シリアル変換モジュール及びデータ復調モジュールをさらに含むブロードバンド無線通信における情報伝送システムにおいて、
前記送信側の前記ＤＦＴモジュールと前記ＩＦＦＴモジュールの間には、ブロック重複変調とブロックユニット変調の完成に用いられるブロックユニットとブロック重複変調モジュールとをさらに含み、
相応に、前記受信側の前記ＦＦＴモジュールと前記ＩＤＦＴモジュールの間には、ブロック重複復調とブロックユニット復調の完成に用いられるブロックユニットとブロック重複復調モジュールをさらに含むことを特徴とするブロードバンド無線通信における情報伝送システム。
【請求項１２】
前記ブロックユニットとブロック重複変調モジュールはブロックユニット重複変調モジュールとブロック変調モジュールとをさらに含み、
前記ブロックユニット重複変調モジュールは、自身の入力とＤＦＴモジュールの出力を繋いで、周波数領域に変換したデータシンボルブロックを変調マッピングし、ブロックユニットを生成するのに用いられ、
前記ブロック重複変調モジュールは、自身の入力とブロックユニット変調モジュールの出力を繋ぎ、自身の出力とＩＦＦＴモジュールの入力を繋いで、生成したブロックユニットに対して加重重複を行い、指定された時間・周波数の位置にマッピングするのに用いられ、
前記ブロックユニットとブロック重複復調モジュールはブロック重複復調モジュールとブロックユニット復調モジュールとをさらに含み、
前記ブロック重複変調モジュールは、自身の入力とＦＦＴモジュールの出力を繋いで、指定された時間・周波数位置にある各重複ブロックユニットに対して加重合併を行い、ブロックユニットを復調させるのに用いられ、
前記ブロックユニット復調モジュールは、自身の入力とブロック重複変調モジュールの出力を繋ぎ、自身の出力とＩＤＦＴモジュールの入力を繋いで、復調されたブロックユニットに対して検査を行い、データシンボルブロックに逆マッピングするのに用いることを特徴とする請求項１１記載のブロードバンド無線通信における情報伝送システムは。
【請求項１３】
前記ブロックユニットとブロック重複変調モジュールはブロック重複変調モジュールとブロックユニット変調モジュールとをさらに含み、
前記ブロック重複変調モジュールは、自身の入力とＤＦＴモジュールの出力を繋いで、周波数領域に変換したデータシンボルブロックに対して加重重複を行うのに用いられ、
前記ブロックユニット変調モジュール、自身の入力とブロック重複変調モジュールの出力を繋ぎ、自身の出力とＩＦＦＴモジュールの入力を繋いで、加重重複されたデータシンボルブロックをブロックユニットに変調マッピングし、且つ指定された時間・周波数の位置にマッピングするのに用いられ、
前記ブロックユニットとブロック重複変調モジュールはブロックユニット復調モジュールとブロック重複復調モジュールとをさらに含み、
前記ブロックユニット重複復調モジュールは、自身の入力とＦＦＴモジュールの出力を繋いで、指定された時間・周波数の位置にある各重複ブロックユニットに対して検査し、且つ逆マッピングを行い、データシンボルブロックを取得するのに用いられ、
前記ブロック復調モジュール、自身の入力とブロックユニット復調モジュールの出力を繋ぎ、自身の出力とＩＤＦＴモジュールの入力を繋いで、各重複ユニットブロックが取得したデータシンボルブロックに対して加重合併を行い、復調待機データシンボルブロックを取得するのに用いられることを特徴とする請求項１１記載のブロードバンド無線通信における情報伝送システム。
【請求項１４】
ブロードバンド無線通信における情報伝送方法であって、送信プロセスと受信プロセスを含み、そのうち、
送信プロセスは、
まず、送信待機信号データに対して変調、セクション化及びシリアル・パラレル変換を行い、シリアル・パラレル変換処理後のデータをＤＦＴ処理して周波数領域に変換するステップ a1と、
周波数領域に変換したデータシンボルブロックに対してブロックユニット変調とブロック重複変調を行い、処理したブロックユニットを指定された時間・周波数位置にマッピングするステップｂ１と、
時間・周波数位置にマッピングしたブロックユニットに対してＩＦＦＴ処理を行い、ＣＰを加えて時間領域におけるランダムシーケンスを生成して送信するステップｃ１を含み、
受信プロセスは、
時間領域上に受信した信号に対してＣＰ除去処理を行い、且つＦＦＴ処理を行うステップ a２と、
指定された時間・周波数位置において重複ブロックユニットに対してブロック重複復調とブロックユニット復調を行い、復調待機データシンボルブロックを取得するステップｂ２と、
取得したデータシンボルブロックに対して復調を行い、受信データを生成するステップｃ２と、
を含むことを特徴とするブロードバンド無線通信における情報伝送方法。
【請求項１５】
ステップｂ１に記載された前記周波数領域に変換したデータシンボルブロックに対してブロックユニット変調とブロック重複変調を行うことは、
周波数領域に変換したデータシンボルブロックに対して変調マッピングを行い、ブロックユニットを生成するステップと、
生成したブロックユニットに対して加重重複を行い、指定された時間・周波数位置にマッピングするステップを含み、
相応に、ステップｂ２に記載された前記重複ブロックユニットに対してブロック重複復調とブロックユニット復調を行うことは、
指定された時間・周波数位置にある各重複ブロックユニットに対して加重合併を行い、ブロックユニットを復調するステップと、
復調されたブロックユニットに対して検査を行い、データシンボルブロックに逆マッピングするステップと、
を含むことを特徴とする請求項１４記載のブロードバンド無線通信における情報伝送方法。
【請求項１６】
ステップｂ１に記載された前記周波数領域に変換したデータシンボルブロックに対してブロックユニット変調とブロック重複変調を行うことは、
周波数領域に変換したデータシンボルブロックに対して加重重複を行うステップと、
加重重複したデータシンボルブロックをブロックユニットに変調マッピングし、且つ指定された時間・周波数位置にマッピングするステップと、
を含み、
相応に、ステップｂ２に記載された前記重複ブロックユニットに対してブロック重複復調とブロックユニット復調を行うことは、
指定された時間・周波数位置にある各重複ブロックユニットに対して検査を行い、且つ逆マッピングしてデータシンボルブロックを得るステップと、
各重複ブロックユニットが取得したデータシンボルブロックに対して加重合併を行い、復調待機データシンボルブロックを取得するステップと、
を含むことを特徴とする請求項１４記載のブロードバンド無線通信における情報伝送方法。
【発明の詳細な説明】
【技術分野】
【０００１】
本発明は情報伝送技術に関し、特にブロードバンド無線通信における信号生成方法及び装置・情報伝送方法及び装置に関する。
【背景技術】
【０００２】
モバイル通信技術の飛躍的発展に伴い、ブロードバンド無線通信は今後のモバイル通信の主な発展方向になっている。国際電気通信連合（ＩＴＵ）がＩＭＴ−２０００（Ｉｎｔｅｒｎａｔｉｏｎａｌ Ｍｏｂｉｌｅ Ｔｅｌｅｃｏｍｍｕｎｉｃａｔｉｏｎｓ− ２０００）を基にした上、さらに新たな機能性に優れるモバイル通信システムＩＭＴ−Ａｄｖａｎｃｅｄを打ち出した。ＩＭＴ−Ａｄｖａｎｃｅｄシステムの無線通信帯域幅は最大１００ＭＨzであり、ローからハイまでのモビリティアプリケーションと広範囲のデータレートをサポートする。ＩＭＴ−Ａｄｖａｎｃｅｄシステムにおいて、伝送レートは最大１Ｇｂｐsに達することができ、多種類ユーザーという状況でのユーザーとサービスのニーズに満足させることができる。例えば、ユーザーが高速なデータダウンロード、ネットショッピング、モバイルビデオチャットとモバイルＴＶなど多くの無線モバイルサービスを楽しめ、ユーザの生活を大いに充実させる。ＩＭＴ−Ａｄｖａｎｃｅｄシステムはさらに、著しくサービスの質（ＱｏＳ）を高める高品質マルチメディアアプリケーションを提供する能力を持っている。
【０００３】
従来の３ＧＰＰのロングタームエボリューションＬＴＥシステムにおいては、シングルキャリア方式を採用してブロードバンド無線通信システムのアップリンクデータと制御シグナリングを伝送する。シングルキャリア方式を採用する目的は、アップリンク信号中のピーク対平均電力比（ＰＡＰＲ）を減らし、アップリンク信号のカバレッジを高めることにある。現在、ＬＴＥにおいて、アップリンクシングルキャリア方式は、直交周波数分割多重アクセス（ＯＦＤＭＡ）に類似するフーリエ変換拡張に基づく信号生成方式の直交周波数分割多重（ＤＦＴ-Ｓ  ＯＦＤＭ）を採用している。具体的に、ＤＦＴ-Ｓ  ＯＦＤＭ信号生成方式は図１が示す通りである。
【０００４】
送信側においては、送信待機信号データを変調し、送信データフロ―をセクション化し、それからセクションデータストリームに対してシリアル・パラレル（Ｓ／Ｐ）変換を行い、シリアル・パラレル変換処理後のデータをディスクリートフーリエ変換（ＤＦＴ）処理して周波数領域に変換する。さらに周波数領域拡散を経て高速フーリエ変換の逆処理変換（ＩＦＦＴ）をし、最後にサイクリック・プレフィックス（ＣＰ）を加えて時間領域におけるランダム・シーケンスを生成する。仮に、シリアル・パラレル変換後のデータブロックをＳ＝｛s1, s2,…，ｓＭ｝とし、ＤＦＴ・ＩＦＦＴ処理後のランダムシーケンスをＳ′＝｛s′1, s′2,…，ｓ′Ｎ｝  とする。それに応じて、受信側においては、ＤＦＴ-Ｓ  ＯＦＤＭはハイ・スピードデータストリームをパラレル・シリアル変換することで、各サブキャリアにおけるデータ符号の持続長さを相対的に増加させ、よって、無線チャネルの時間拡散による間の干渉を効果的に減らし、レシーバ内均衡の複雑度を減らす。周波数領域均衡によりレシーバの信号処理がしやすくなる。  
【０００５】
図１において、周波数領域における信号の均衡処理の確保とシステム実施の複雑度を減少するため、ＤＦＴ-Ｓ  ＯＦＤＭがダウンリンク直交周波数分割多重（ＯＦＤＭ）符号と類似する処理方式を採用する。このようにして、複数のユーザーの間では異なるサブキャリアを占有する周波数分割多重アクセス（ＦＤＭＡ）方式によって区別され、複数ユーザーの多重アクセスを実施できるようにする。しかし、ＤＦＴ-Ｓ  ＯＦＤＭ多重アクセス方式にも欠点がある。
【発明の概要】
【発明が解決しようとする課題】
【０００６】
ＤＦＴ-Ｓ  ＯＦＤＭアップリンク多重アクセス方式には、当該方式がセルラー移動通信システムに応用される際、単一周波数ネットワーキング方式の場合、異なるセルのユーザーが同じサブキャリアの周波数を採用して受送信すれば、隣接セルのユーザー端末の受送信信号に干渉を及ぶため、セル間の比較的大きな干渉を引き起こすようになる。特にセルの端では、ユーザー端末が他のセルに比較的近いため、他のセルからの着信信号が強くて、ユーザー端末がデータを受送信する際、隣接セル信号の間に酷く相互干渉し、セル端におけるユーザー端末の通信機能が急激に下がることになってしまう。
【０００７】
単一周波数ネットワーキング状況の隣接セル間の信号干渉を防ぐために、対応する改善案が提出されたた。例えば、ダウンリンクＯＦＤＭ変調方式において、コード分割多重アクセス（ＣＤＭＡ）とＯＦＤＭを結合する方式によって、単一周波数ネットワーキングの信号干渉を減らす。現在、ＣＤＭＡとＯＦＤＭを結合する多重アクセス方式は主に三種類があり、それぞれにマルチキャリアＣＤＭＡ（ＭＣ−ＣＤＭＡ，Ｍｕｌｔｉ- ｃａｒｒｉｅｒ  ＣＤＭＡ）方式と、マルチキャリア・ダイレクトスプレッドＤＳ  ＣＤＭＡ（ＭＣ−ＤＳ−ＣＤＭＡ）方式と、時間・周波数領域の2次元拡散とＯＦＤＭを結合するＯＦＣＤＭＡ方式と称する。
【０００８】
そのうち、ＭＣ−ＣＤＭＡの信号生成方式は図２の示すとおりであり、その処理プロセスは、若干数のデータシンボル（ｄａｔａ ｓｙｍｂｏｌｓ）で構成した一つのデータストリーム内の各符号を先に拡散処理し、それから拡散後のデータをＯＦＤＭの変調したサブキャリア（ｓｕｂｃａｒｒｉｅｒ）にマッピングし、拡散データ符号を出力する。仮に拡散コードの長さをＮとすれば、拡散後のデータをＮ個のサブキャリアｆ１、ｆ２・・・・・ｆＮにマッピングする。ＯＦＤＭ方式と比べれば、ＭＣ−ＣＤＭＡ方式の長所は周波数ダイバーシティーを利用することと単一周波数ネットワーキングの隣接セル間の干渉を減らすことである。
【０００９】
ＭＣ−ＤＳ−ＣＤＭＡの信号生成方式は図３の示すとおりであり、その処理プロセスは、まず、若干数のデータシンボルで構成したデータストリームに対してシリアル・パラレル変換を行い、データを各サブキャリアにマッピングしてから各サブキャリアにおいて各符号に対して拡散処理を行う。即ち、時間領域において拡散を行うことによって時間ダイバーシティーゲインを獲得し、拡散データシンボルを出力する。仮に拡散コードの長さをＮとすれば、Ｎ個のサブキャリアはｆ１、ｆ２・・・・・ｆＮである。ＯＦＤＭ方式と比べれば、ＭＣ−ＤＳ−ＣＤＭＡ方式も単一周波数ネットワーキングの隣接セル間の干渉を減らすことができる。
【００１０】
以上二種類のＣＤＭＡとＯＦＤＭと結合する多重アクセス方式のほかに、直交周波数分割多重符号分割（ＯＦＣＤＭ）という時間・周波数領域にて2次元拡散とＯＦＤＭを結合する方式がある。各データシンボルは、時間上においてＭ倍拡散され、同時にサブキャリアにおいてＮ倍拡散される。図４に示すように、時間領域においては４倍拡散し、周波数領域においては２倍拡散する。
【００１１】
ここまで紹介したＭＣ−ＣＤＭＡ・ＭＣ−ＤＳ−ＣＤＭＡ及びＯＦＣＤＭ方案は、いずれもＣＤＭＡとＯＦＤＭが結合した方式を採用したものであり、ＤＦＴ-Ｓ  ＯＦＤＭアップリンク信号生成方式に応用してもよい。この何種類の方式はいずれも一定のダイバーシティーゲインとアンチ多重アクセス干渉能力が得られ、複数セルの単一周波数ネットワーキングを容易に実現でき、且つ単一周波数ネットワーキング内の隣接セル間干渉を減らすことができる。しかし、ＣＤＭＡ技術と同じように、上記方案らは信号の時間と周波数の同期に対する要求が高く、複数セルユーザーの信号検出に各セルデータが同じ時間・周波数リソースの占有することを求めるため、各セル間でのリソース調整とスケジューリングが必要となる。同時に、複数ユーザー検出にはＵＥが他のユーザーの占有する時間・周波数リソースと拡散コードを知る必要がある。しかし、上記いくつの方案には、リソースの割り当て・スケジューリング及び干渉の調整コントロールに柔軟性と便利性が欠けており、且つ受信側で多重アクセス干渉を除去する際に比較的大きな代償を払わなければならなく、受信処理が複雑である。また、チャネルの減衰と干渉もいくつかの符号のバーストエラーを引き起こす。
【課題を解決するための手段】
【００１２】
本発明は上記の問題点を鑑みてなされたものであり、リソースの割り当て・スケジューリング及び干渉の調整コントロール問題をよりよく解決し、システムの容量と性能を大いに高められるブロードバンド無線通信における信号生成及び情報伝送方法・システム及び装置を提供することを目的とする。
【００１３】
上述の目的を実現するため、本発明に係わる技術方案は以下のようなものである。
【００１４】
本発明のブロードバンド無線通信における信号生成方法は、
まず、送信待機信号データに対して変調、セクション化及びシリアル・パラレル変換を行い、シリアル・パラレル変換処理後のデータに対してディスクリートフーリエ変換ＤＦＴ処理して周波数領域に変換するステップＡと、周波数領域に変換されたデータシンボルブロックに対して、ブロックユニット変調とブロック重複変調を行い、処理したブロックユニットを指定された時間・周波数の位置にマッピングするステップＢと、時間・周波数の位置にマッピングしたブロックユニットに対して高速フーリエ変換の逆変換ＩＦＦＴ処理を行い、サイクリック・プレフィックスＣＰを加えて時間領域におけるランダムシーケンスを生成するステップＣとを含む。
【００１５】
前記ステップＢに記載された周波数領域に変換したデータシンボルブロックに対して、ブロックユニット変調とブロック重複変調を行うことは、
周波数領域に変換したデータシンボルブロックに対して変調マッピングを行い、ブロックユニットを生成するＢ１１ステップと、生成したブロックユニットを加重重複するＢ１２ステップとを含み、前記処理したブロックユニットは加重重複処理したブロックユニットである。
【００１６】
または、前記ステップＢに記載の周波数領域に変換したデータシンボルブロックに対して、ブロックユニット変調とブロック重複変調を行うことは、周波数領域に変換したデータシンボルブロックに対して加重重複処理を行うＢ２１ステップと、加重重複したデータシンボルブロックを変調・マッピングせてブロックユニットを取得するＢ２２ステップとを含み、前記処理したブロックユニットはステップＢ２２で生成したブロックユニットである。
【００１７】
上述案における前記加重重複は時間領域において繰り返し、異なるユーザーはパワーシャフトに沿って多重し、且つ、異なるユーザーが異なるブロック重複加重シーケンスを採用して区別する。
【００１８】
本発明のブロードバンド無線通信における信号生成装置は、データ変調モジュール、シリアル・パラレル変換モジュール、ＤＦＴモジュール、ＩＦＦＴモジュール及びサイクリック・プレフィックスモジュールを含み、重要なのは、ＤＦＴモジュールとＩＦＦＴモジュールの間にさらにブロック重複変調とブロックユニット変調を完成に用いられるブロックユニットとブロック重複変調モジュールとを含む。
【００１９】
そのうち、前記ブロックユニットとブロック重複変調モジュールは、入力とＤＦＴモジュールの出力を繋いで、周波数領域に変換されたデータシンボルブロックを変調マッピングを行い、ブロックユニットを生成するブロックユニット変調モジュールと、入力とブロックユニット変調モジュールの出力を繋いで、出力とＩＦＦＴモジュールの入力を繋いで、生成したブロックユニットに対して加重重複を行い、指定された時間・周波数の位置にマッピングするブロック重複変調モジュールとを含む。
【００２０】
または、前記ブロックユニットとブロック重複変調モジュールは、入力とＤＦＴモジュールの出力を繋い、周波数領域に変換されたデータシンボルブロックに対して加重重複を行うブロック重複変調モジュールと、入力とブロック重複変調モジュールの出力を繋いで、出力とＩＦＦＴモジュールの入力を繋いで、加重重複されたデータシンボルブロックに対して変調マッピングを行い、ブロックユニットを取得し、且つ指定された時間・周波数の位置にマッピングするブロックユニット変調モジュールとを含む。
【００２１】
本発明のブロードバンド無線通信における情報伝送システムは、、送信側と受信側の間は変調チャネルを介して接続される送信側と受信側を含み、そのうち、送信側はデータ変調モジュール、シリアル・パラレル変換モジュール、ＤＦＴモジュールとＩＦＦＴモジュールをさらに含み、受信側は高速フーリエ変換ＦＦＴモジュール、ディスクリートフーリエ変換の逆処理変換ＩＤＦＴモジュール、パラレル・シリアル変換モジュール及びデータ復調モジュールをさらに有し、重要なのは、送信側のＤＦＴモジュールとＩＦＦＴモジュールの間には、ブロック重複変調とブロックユニット変調を完成するブロックユニットと、ブロック重複変調モジュールを含む。相応的に、受信側のＦＦＴモジュールとＩＤＦＴモジュールの間にはさらに、ブロック重複復調とブロックユニット復調を完成するブロックユニットとブロック重複復調モジュールをさらに有する。
【００２２】
本発明のブロードバンド無線通信における情報伝送方法は、送信プロセスと受信プロセスを含み、
そのうち、送信プロセスが、まず、送信待機信号データに対して変調、セクション化及びシリアル・パラレル変換を行い、シリアル・パラレル変換処理後のデータに対してＤＦＴ処理して周波数領域に変換するａ１ステップと、周波数領域に変換されたデータシンボルブロックに対してブロックユニット変調とブロック重複変調を行い、処理されたブロックユニットを指定された時間・周波数位置にマッピングするｂ１ステップと、時間・周波数位置にマッピングしたブロックユニットに対してＩＦＦＴ処理を行い、ＣＰを加えて時間領域におけるランダムシーケンスを生成するＣ１ステップとを含み、
受信プロセスは、時間領域で受信した信号に対してＣＰを除去し、且つＦＦＴ処理を行うａ２ステップと、指定された時間・周波数位置において重複ブロックユニットに対して重複復調とブロックユニット復調を行い、復調待機データシンボルブロックを取得するｂ２ステップと、取得したデータシンボルブロックを復調し、受信データを生成するｃ２ステップを含む。
【発明の効果】
【００２３】
本発明のブロードバンド無線通信における信号生成方法及び装置、情報伝送方法及び装置は、無線通信チャネルにおける情報の信頼性を高め、情報伝送のスピードを変化可能にし、無線通信チャネルにおけるリソースの多重アクセスも実施できるようにする。無線移動セルラーシステムに応用すると単一周波数ネットワーキングを容易に実現でき、システムの容量と性能を高められる。採用したブロック重複技術が基本的な物理リソースブロックを単位としているため、複数セル間の調整がかなり簡単になり、ただ静的調整または半静的調整すればよい。よって、本発明はセル内とセル間干渉のコントロールを含んだ無線通信におけるリソースの割り当て、スケジューリング及び干渉の調整コントロール問題をよりよく解決でき、システムの容量と性能を大いに高め、ブロードバンド無線通信システムに効果的な解決方案を提供できるようにする。
【図面の簡単な説明】
【００２４】
【図１】従来技術におけるＤＦＴ−Ｓ  ＯＦＤＭ信号生成方式の実施プロセスを示す図である。
【図２】従来技術におけるＤＣ−ＣＤＭＡ信号生成方式の実施原理を示す図である。
【図３】従来技術におけるＭＣ−ＤＳ−ＣＤＭＡ信号生成方式の実施原理を示す図である。
【図４】従来技術における時間・周波数領域２次元拡散のＯＦＣＤＭ信号生成方式の実施原理を示す図である。
【図５】本発明におけるＯＦＤＭ変調方式のチャネルリソース割り当て状況を示す図である。
【図６】本発明ＯＦＤＭ変調方式における物理リソースブロックの構成を示す図である。
【図７】本発明におけるブロック重複伝送方式の信号構成を示す図である。
【図８】本発明におけるブロック重複多重方式の信号構成を示す図である。
【図９】本発明におけるブロック重複伝送送信システムの１つの実施方案を示す図である。
【図１０】本発明におけるブロック重複伝送送信システムのもう１つの実施方案を示す図である。
【図１１】本発明におけるブロック重複伝送受信システムの１つの実施方案を示す図である。
【図１２】本発明におけるブロック重複伝送受信システムのもう１つの実施方案を示す図である。
【図１３】本発明におけるＢＲ  ＤＦＴ−Ｓ  ＯＦＤＭ信号生成方式の１つの実施プロセスを示す図である。
【図１４】本発明におけるＢＲ  ＤＦＴ−Ｓ  ＯＦＤＭ信号生成方式のもう１つの実施プロセスを示す図である。
【図１５】本発明におけるシングルユーザーが時間領域ブロック重複を採用する図である。
【図１６】本発明におけるダブルユーザーが時間領域ブロック重複を採用する図である。
【図１７】本発明におけるＢＲ  ＤＦＴ−Ｓ  ＯＦＤＭ伝送通信システムの１つの実施構造を示す図である。
【図１８】本発明におけるＢＲ  ＤＦＴ−Ｓ  ＯＦＤＭ伝送通信システムのもう１つの実施構造を示す図である。
【発明を実施するための形態】
【００２５】
従来技術問題を解決するため、ブロック重複に基づく情報伝送及び多重チャネルと多重アクセス、即ち、ブロック重複（ＢＲ，Ｂloｃｋ Ｒｅｐｅａｔ)伝送方案、及びブロック重複分割多重（ＢＲＤＭ，Ｂloｃｋ Ｒｅｐｅａｔ  Ｄｉｖｉｓｉｏｎ  Ｍuｌｔｉｐｌｅｘ）/ブロック重複分割多重アクセス（ＢＲＤＭＡ，Ｂloｃｋ Ｒｅｐｅａｔ  Ｄｉｖｉｓｉｏｎ  Ｍuｌｔｉｐｌｅｘ  Ａｃｃeｓｓ）方案を提出した。上記方案はＯＦＤＭ結合してブロック重複直交周波数分割多重（ＢＲ−ＯＦＤＭ）/ブロック重複直交周波数分割多重アクセス（ＢＲ−ＯＦＤＭＡ）と称することができる。ブロック重複多重アクセス方式は基本的な物理リソースブロックの重複に基にして実現し、下位層の変調多重アクセス方式に制限しないため、ＯＦＤＭ多重方式と結合できるだけでなく、ＦＤＭＡ、ＴＤＭＡ、ＣＤＭＡなどのような多種の多重アクセス方式と結合して、多種の方案を構成することもできる。
【００２６】
ＯＦＤＭの例を挙げて説明する。ＯＦＤＭ変調方式において、チャネルリソースの割り当てと使用状況は図５に示される。図５における各ブロック内にデータを伝送して物理層にマッピングする基本単位である1つの物理リソースブロック（ＰＲＢ，Ｐｈｙｓiｃａｌ  Ｒｅｓｏｕｒｃｅ  Ｂｌｏｃｋ）が存在する。図５内の標識Ａ、Ｂ、Ｃ、Ｄ、Ｅ、Ｆはそれぞれのユーザーを指し、隣接する物理リソースブロックを同一ユーザーに割り当てても良いし、異なるユーザーに割り当てても良いのがわかる。例えば、ユーザーＢが隣接する２つの物理リソースブロックを有し、ユーザーＡとユーザーＥが隣接しない２つの物理リソースブロックを有する。
【００２７】
ＯＦＤＭ変調方式においては、チャネルリソースが時間・周波数２次元という構成である。各物理リソースブロックの具体的な構成は図６に示される。図６は一つのＯＦＤＭ物理リソースブロックであり、全ＯＦＤＭ時間・周波数の一部を占有し、当該物理リソースブロックは時間領域においてＮＴ個ＯＦＤＭ符号を含み、周波数領域においてＮＦ個ＯＦＤＭサブキャリアを含む。物理リソースブロックが提供可能なデータシンボルの伝送数はＮ＝ＮＴ×ＮＦ個であり、各データシンボルは変調後の符号を一つ伝送し、全ＯＦＤＭ時間・周波数リソースは一つまたは複数の物理リソースブロックを含む。そのうち、ＮＴ・ＮＦが普通１より大きい、Ｎが一つ物理リソースブロックの大きさであり、例えば、ＬＴＥにおいて、Ｎ＝９×１２である。  
【００２８】
１つの物理リソースブロックを１つのブロックユニットとし、ブロックユニットはブロック重複の基本単位である。対応的に、ブロック重複ＯＦＤＭ（ＢＲ−ＯＦＤＭ）の信号構成は図７と図８に示す通りであり、そのうち、図７はシングルユーザーのＢＲ−ＯＦＤＭ例であり、図８は複数ユーザーのＢＲ−ＯＦＤＭ例である。図７と図８において、ＢＵ１〜ＢＵ６は１つのブロックユニットが重複して伝送される回数を表しており、ブロック重複回数をブロック重複ファクタＲＦ（Ｒｅｐｅａｔ Ｆａｃｔｏｒ）と呼ぶことができ、図７と図８の中には、ＲＦ＝６である。そのうち、ＲＦの値は需要によって設置することができ、一般的には１−８の間の任意値に設置する。ＲＦの値が大きすぎると計算の複雑さを増大してしまう。図８において、２つのユーザーがパワーシャフトの方向に沿って同じ時間・周波数チャネルリソースを占有してブロック重複伝送をし、上はユーザー１、下はユーザー２である。
【００２９】
ブロック重複伝送において、送信側が１つのブロック重複重み付け係数シーケンス（または重複コードとも称する）Ｃ１Ｃ２……ＣＲＦを提供している。各重複ブロックユニットは重複伝送のため１つの重み付け係数より加重され、且つ指定された時間・周波数位置にマッピングされる。ここで、上記重み付け係数の働きはスペクトラム拡散に相当する。
【００３０】
図７と図８が示したブロック重複伝送方式に基づき、信号を送信する際にブロックユニットとブロック重複に対してそれぞれ変調を行う必要がある。それゆえ、本発明におけるブロック重複伝送送信装置は２種類の実施方式があり、第１種の実施方式においてはまずブロックユニットの変調を行い、それからブロック重複変調を行う。第２種の実施方式においてはまずブロック重複変調を行い、それからブロックユニットの変調を行う。
【００３１】
具体的には、第１種の実施方式に係る送信装置の構成ブロック図は図９に示す通りであり、送信待機データは３レベルの変調を通して最後の送信信号を生成する。第１レベルは送信データ変調モジュールによって実施する送信データの変調であり、送信データに対して変調とブロック化してデータシンボルブロック（ＤＢ）を生成する。第２レベルはブロックユニット変調モジュールによって実施するブロックユニットの変調であり、生成したデータシンボルブロックに対して変調マッピングを行い、ブロックユニット（ＵＢ）を生成する。ここで、上記ブロックユニットの生成は、生成したデータシンボルブロックシーケンスまたはデータストリームを、ある種の順序に従い順次にブロックユニットに対応する各時間・周波数ポイントに充填していく。例えば、一種のインターリーバを採用してインターリービングを行う。本方案では、データシンボルブロックはブロックユニットの中に直接置く。第３レベルはブロック重複変調モジュールによって実施するブロック重複変調であり、ブロックユニットにたいして加重重複（ＢＲ）を行い、且つ指定された時間・周波数位置にマッピングし、最後の送信信号を生成する。ここで、上記加重重複とは、各ブロックユニットを、一つの重複コードまたは重複重み付け係数Ｃｊに掛けて物理リソースにマッピングする。それから生成した送信信号を送信する。ここで、上記送信待機データはチャンネルコーデング、レートマッチングと合併マッピング処理を経たデータである。
【００３２】
第２種の実施方式に係る送信装置の構成ブロック図は図１０に示す通りであり、送信待機データは３レベル変調を通して最後の送信信号を生成する。第１レベルは送信データ変調モジュールによって実施する送信データの変調であり、送信データに対して変調とブロック化を行い、データシンボルブロックを生成する。第２レベルはブロック重複変調モジュールによって実施するブロック重複の変調であり、データシンボルブロックを加重重複する。第３レベルはブロックユニット変調モジュールによって実施するブロックユニットの変調であり、加重重複したデータシンボルブロックをブロックユニットにマッピングし、且つ指定された時間・周波数位置にマッピングする。ここでマッピングとはデータシンボルブロックをある種の順序に従い順次にブロックユニットに対応する各時間・周波数ポイントに充填していくということである。例えば、一種のインタリーバを採用してインターウォーブンを行い、簡単には、データシンボルブロックを直接配列してブロックユニットの中に置くことができる。
【００３３】
上記２種類の方式にはそれぞれにメリットがある。図９に示している方式では、まずデータを１つのブロックユニットにいっぱい詰め込み、それからブロックユニットを重複単位としてブロック重複変調を行う。こうすれば従来のＬＴＥシステムの互換性が高くなり、ブロックユニットを単位とするマッピング方式を変えないが、データ間の相関性が弱くなる。一方、図１０に示している方式では、まずデータをスモールブロックに分け、スモールブロックを単位としてブロック重複変調を行い、それからブロック重複されたデータをブロックユニットに詰め込む。こうすればデータが比較的小さい範囲内で重複ので、データの相関性が強くなり、低複雑度の検出アルゴリズムを採用できるが、本来のデータマッピング方式に対する調整が必要である。上述の説明で分かるように、上記２種類の方式にはそれぞれにメリットとがあるが、いずれも本発明に応用でき、具体的な応用シーンに従って選択すれば良い。図９と図１０のブロック重複送信装置に対応して、図１１と図１２は相応の２種類のブロック重複受信装置を示している。そのうち、図１２は図９の送信装置に対応する受信装置であり、図１１は図１０の送信装置に対応する受信装置である。図１１に示している様に、１種ブロック重複受信装置の具体的な実施プロセスは、受信信号が３レベル復調を経てから最後の受信データを得ることである。第１レベルはブロックユニット復調モジュールによって実施するブロックユニット復調であり、指定された時間・周波数位置上にある各重複ブロックユニットに対して検査を行い、且つ逆マッピングしてデータシンボルブロックを取得することである。第２レベルはブロック重複復調モジュールによって実施するブロック重複復調であり、各重複ブロックユニットが取得したデータシンボルブロックに対して加重合併し、復調待機データシンボルブロックを取得することである。第３レベルはデータ復調モジュールによって実施するデータ復調であり、得たデータシンボルブロックに対して復調を行い、受信データを生成することである。
【００３４】
図１２に示しているもう１種ブロック重複受信装置の具体的な実施プロセスは、受信信号が３レベル復調を経てから最後の受信データを取得することである。第１レベルはブロック復調モジュールによって実施するブロック復調であり、指定された時間・周波数位置上にある各重複ブロックユニットに対して加重合併を行い、ブロックユニットを復調させることである。第２レベルはブロックユニット復調モジュールによって実施するブロックユニット復調であり、復調されたブロックユニットに対して検査を行い、データシンボルブロックに逆マッピングすることである。第３レベルはデータ復調モジュールによって実施するデータ復調であり、取得したブロックユニットに対して復調を行い、受信データを生成することである。
【００３５】
ＯＦＤＭとＤＦＴ−Ｓ  ＯＦＤＭの信号生成方式は類似しているため、ＢＲ−ＯＦＤＭＡをＬＴＥアップリンク信号伝送に応用できる。ブロック重複方式を通してＤＦＴ−Ｓ  ＯＦＤＭアップリンク信号伝送方式の単一周波数ネットワーキングにおける干渉を下げられ、システムの容量とリソース利用率を高められる。
【００３６】
本発明の基本方針は次のようなものである。ブロック重複とＤＦＴ−Ｓ  ＯＦＤＭを結合させ、ブロック重複シングルキャリアマルチアクセス（ＢＲ−ＯＦＤＭＡ）とも呼べる。ＤＦＴ−Ｓ  ＯＦＤＭ変調方式においては、周波数領域チャネルリソースも１つの時間・周波数領域２次元構成であり、１つのＤＦＴ−Ｓ  ＯＦＤＭ物理リソースブロックユニットは、全時間・周波数リソースの一部を占有している。各物理リソースブロックユニットが時間領域においてＮＴ個時間領域のブロックシンボルを含み、周波数領域においてＮＴ個周波数領域サブキャリアを含み、ブロックユニットが提供できるデータシンボル伝送数はＮ＝ＮＴ×ＮＦ個である。
【００３７】
本発明に係わる１つの実施形態として、ＢＲ  ＤＦＴ−Ｓ  ＯＦＤＭの信号生成方式は図１３または図１４が示している様に、ＤＦＴ処理とＩＦＦＴ処理の間にブロックユニット変調とブロック重複変調を増やすことである。即ち、ＤＦＴ処理後周波数領域に変換したデータシンボルブロックを、まず変調マッピング及び加重重複処理を行い、それからＩＦＦＴ処理をし、最後にＣＰを加えて時間領域におけるランダムシーケンスを生成する。ここで、上記マッピング及び加重重複は、まず、データシンボルブロックを加重重複し、それから加重重複されたデータシンボルブロックをブロックユニットに変調マッピングし、且つ指定された時間・周波数位置にマッピングする。また、上記マッピング及び加重重複は、まずデータシンボルブロックに対して変調マッピングを行い、ブロックユニットを生成し、それからブロックユニットに対して加重重複を行い、且つ指定された時間・周波数位置にマッピングしてもよい。
【００３８】
さらに具体的に説明する。図１３に示す本発明ＢＲ  ＤＦＴ−Ｓ  ＯＦＤＭの１つの信号生成方式は、
まず、送信待機信号データを変調し、送信データストリームをセクション化し、それからセクション化したデータストリームに対してシリアル・パラレル変換を行うステップ１３１と、
シリアル・パラレル変換処理されたデータをＤＦＴ処理して周波数領域に変換するステップ１３２と、
周波数領域に変換したデータシンボルブロックに対して変調マッピングを行い、ブロックユニットを生成するステップ１３３と、
生成したブロックユニットに対して加重重複を行い、指定された時間・周波数位置にマッピングするステップ１３４と、
時間・周波数位置にマッピングしたブロックユニットに対してＩＦＦＴ処理を行い、ＣＰを加えて時間領域におけるランダムシーケンスを生成するステップ１３５−１３６とを含む。
【００３９】
図１４が示す本発明ＢＲ  ＤＦＴ−Ｓ  ＯＦＤＭのもう１つの信号生成方式は、
まず、送信待機信号データを変調し、送信データストリームをセクション化し、それからセクション化されたデータストリームに対してシリアル・パラレル変換を行うステップ１４１と、
シリアル・パラレル変換処理されたデータをＤＦＴ処理して周波数領域に変換するステップ１４２と、
周波数領域に変換したデータシンボルブロックに対して加重重複を行うステップ１４３と、
加重重複されたデータシンボルブロックをブロックユニットに変調マッピングし、且つ指定された時間・周波数位置にマッピングするステップ１４４と、
時間・周波数位置にマッピングしたブロックユニットに対してＩＦＦＴ処理を行い、ＣＰを加えて時間領域におけるランダムシーケンスを生成するステップ１４５−１４６とを含む。
【００４０】
図１３または図１４が提供した信号生成方式を実施する際、対応するモジュールを採用して対応する機能を完成させる。例えば、データ変調モジュールがデータ変調を完成し、シリアル・パラレル変換モジュールがシリアル・パラレル変換を完成し、ＤＦＴモジュールがＤＦＴ処理を完成し、ブロックユニット変調モジュールがブロックユニット変調を完成し、ブロック重複変調モジュールがロック重複変調を完成し、ＩＦＦＴモジュールがＩＦＦＴ処理を完成し、ＣＰモジュールがＣＰを増やす。そのうち、ブロックユニット変調モジュールとブロック重複変調モジュールは合併してブロックユニット及びブロック重複変調モジュールと呼べる１つのモジュールによって実施でき、当該モジュールはブロック重複変調とブロックユニット変調を完成するのに用いられる。
【００４１】
ＢＲ  ＤＦＴ−Ｓ  ＯＦＤＭ変調方式において、ＤＦＴ−Ｓ  ＯＦＤＭ方式のシングルキャリア特徴を保つため、ブロック重複が時間領域上の重複のみ採用する。もし、信号がマルチキャリア送信形式に変更した場合、アップリンク信号のカバレッジ性能を損なう。図１３の例によって分かるように、まず、ＤＦＴ処理後のデータシンボルブロックを変調マッピングしてブロックユニットＢＵ１を生成し、重複回数を８に設定することにより、ＢＵ１を８回重複し、それぞれＢＵ１、ＢＵ２……ＢＵ８を生成する。ブロック重複重み付け係数シーケンスをＣ１Ｃ２……Ｃ８とし、生成した重複ブロックに掛けた後、重複加重ブロックを生成し、且つ時間の順序に従い順次に相応する物理サブキャリアにマッピングする。図１５に示す通り、異なる重複加重ブロックが時分割方式を採用して送信する。図１５においては、左から右へ順次にＢＵ１・ＢＵ２…・ＢＵ８とし、それぞれ重み付け係数Ｃ１Ｃ２……Ｃ８に対応する。
【００４２】
図１６は２つのユーザーが時間領域ブロック重複伝送を示す図であり、異なるユーザーの間では異なるブロック重複加重シーケンスを採用して区別する。
【００４３】
上記信号が生成した上、図１７はＢＲ  ＤＦＴ−Ｓ  ＯＦＤＭ通信システムにおける１つの実施構造を示している。当該通信システムは送信側と受信側２つの部分を含み、送信側と受信側の間は変調チャネルによって繋ぐ。そのうち、送信側はデータ変調モジュール、シリアル・パラレル変換モジュール、ＤＦＴモジュール、ブロックユニット変調モジュール、ブロック重複変調モジュール及びＩＦＦＴモジュールを含む。受信側は高速フーリエ変換（ＦＦＴ）モジュール、ブロック重複復調モジュール、ブロックユニット復調モジュール、ディスクリートフーリエ変換の逆処理変換モジュール、パラレル・シリアル変換モジュール及びデータ復調モジュールを含む。
【００４４】
ここで、データ変調モジュールはデータ変調の完成に用いられ、シリアル・パラレル変換モジュールはシリアル・パラレル変換を行うのに用いられ、ＤＦＴモジュールはＤＦＴ処理を行うのに用いられ、ブロックユニット変調モジュールはブロックユニット変調を完成し、即ち、周波数領域に変換したデータシンボルブロックに対して変調マッピングしてブロックユニットを生成するのに用いられ、ブロック重複変調モジュールはブロック重複変調を完成し、即ち、生成したブロックユニットに加重重複して指定された時間・周波数位置にマッピングするのに用いられ、ＩＦＦＴモジュールはＩＦＦＴ処理を完成するのに用いられる。相応に、ＦＦＴモジュールはＦＦＴ処理を完成し、ブロック重複復調モジュールはブロック重複復調を完成し、即ち、指定された時間・周波数位置にある各重複ブロックユニットに対して加重合併を行い、データシンボルブロックを復調させるのに用いられ、ブロックユニット復調モジュールはブロックユニット復調を完成し、即ち、復調されたデータシンボルブロックに対して検査を行い、データシンボルブロックに逆マッピングするのに用いられ、ＩＤＦＴモジュールはＩＤＦＴ処理を完成し、データ復調モジュールはデータの復調に用いられる。
【００４５】
実際に応用する中、ブロックユニット変調モジュールとブロック重複変調モジュールは合併してブロックユニット及びブロック重複変調モジュールと呼べる１つのモジュールによって実施でき、当該モジュールはブロック重複変調とブロックユニット変調を完成するのに用いられる。相応に、ブロックユニット復調モジュールとブロック重複復調モジュールは合併してブロックユニット及びブロック重複復調モジュールと呼べる１つのモジュールによって実施でき、当該モジュールはブロック重複復調とブロックユニット復調を完成するのに用いられる。
【００４６】
図１７に基づく情報伝送方法は送信プロセスと受信プロセスを含む。そのうち、送信プロセスは、
送信待機信号データに対して変調、セクション化及びシリアル・パラレル変換を行い、シリアル・パラレル変換処理後のデータをＤＦＴ処理して周波数領域に変換するステップ a1と、
周波数領域に変換したデータシンボルブロックに対してブロックユニット変調とブロック重複変調を行い、処理したブロックユニットを指定された時間・周波数位置にマッピングするステップｂ１と、
時間・周波数位置にマッピングしたブロックユニットに対してＩＦＦＴ処理を行い、ＣＰを加えて時間領域におけるランダムシーケンスを生成して送信するステップｃ１とを含む。
受信プロセスは、
時間領域上に受信した信号に対してＣＰを除去し、且つＦＦＴ処理を行うステップ a２と、
指定された時間・周波数位置において重複ブロックユニットに対してブロック重複復調とブロックユニット復調を行い、復調待機データシンボルブロックを取得するステップｂ２と、
取得したデータシンボルブロックに対して復調を行い、受信データを生成するステップｃ２とを含む。
【００４７】
図１８はＢＲ  ＤＦＴ−Ｓ  ＯＦＤＭ通信システムにおけるもう１つの実施構造を示している。実施原理・プロセス及びシステム構成は図１７と基本的に類似していて、相違点はただ、ブロックユニット変調/復調モジュールとブロック重複変調/復調モジュールの順序を交換しただけにある。相応に、ブロックユニット変調/復調の処理とブロック重複変調/復調の処理も交換した。
【００４８】
本発明が提供したブロードバンド無線通信における信号生成方法及び装置、情報伝送方法及び装置は、無線通信チャネルにおける情報信頼性を高め、また情報の伝送をスピード変化可能ようにし、無線通信チャネルにおけるリソースの多重アクセスも実施できるようにする。無線移動セルラーシステムに応用すると単一周波数ネットワーキングを容易に実現し、システムの容量と性能を向上できる。採用したブロック重複技術が基本的な物理リソースブロックを単位としているため、複数セル間の調整がかなり簡単になり、ただ静的調整または半静的調整だけでよい。よって、本発明はセル内とセル間干渉のコントロールを含んだ無線通信におけるリソースの割り当て、スケジューリング及び干渉の調整コントロール問題をよりよく解決でき、システムの容量と性能を大いに高め、ブロードバンド無線通信システムに効果的な解決案を提供する。
【００４９】
最後に注意すべきことは、前記実施形態は本発明の技術的な解決手段の説明だけであり、技術上の制限とはならない。以上は、好ましい実施形態により本発明を詳しく説明したが、当業者により、上述した実施形態に記述された技術的な解決手段を改造し、またはその中の一部の技術要素を置換することもできる。そのような改造と置換は本発明の各実施例の技術の範囲から逸脱するとは見なされない。
【図１】
2011504694.tif 000003
【図２】
2011504694.tif 000004
【図３】
2011504694.tif 000005
【図４】
2011504694.tif 000006
【図５】
2011504694.tif 000007
【図６】
2011504694.tif 000008
【図７】
2011504694.tif 000009
【図８】
2011504694.tif 000010
【図９】
2011504694.tif 000011
【図１０】
2011504694.tif 000012
【図１１】
2011504694.tif 000013
【図１２】
2011504694.tif 000014
【図１３】
2011504694.tif 000015
【図１４】
2011504694.tif 000016
【図１５】
2011504694.tif 000017
【図１６】
2011504694.tif 000018
【図１７】
2011504694.tif 000019
【図１８】
2011504694.tif 000020
【国際調査報告】
2011504694.tif 000021
2011504694.tif 000022
2011504694.tif 000023
2011504694.tif 000024